(57)【要約】      （修正有）【課題】動力機械への給油時に、操作が簡単である上、補助タンクを持ち上げれば済み、胴体を傾けることが必要でない補助燃料タンクを提供する。【解決手段】その胴体の最高部の近くに蓋付きの入り口２７、最低部の近くにバルブ５４１付きの出口５４、また、該入り口と該出口との間に該出口のバルブを該入り口の蓋２７１の所定の操作法による開閉に連動させることができる開閉手段が内設されている補助燃料タンク。【選択図】図３
0003110147.tif 000002
【実用新案登録請求の範囲】
【請求項１】
その胴体の最高部の近くに蓋付きの入り口、最低部の近くにバルブ付きの出口、また、該入り口と該出口との間に該出口のバルブを該入り口の蓋の所定の操作法による開閉に連動させることができる開閉手段が内設されていることを特徴とする補助燃料タンク。
【請求項２】
その胴体の最高部の近くに蓋付きの入り口、最低部の近くにバルブ付きの出口、また、該出口のバルブを開閉することができる開閉手段が付設されている補助燃料タンクであって、
前記出口のバルブは、常時、バネ手段によって前記出口をタンクの内側から弾性的に押圧して封止するように設置されており、
前記開閉手段は、前記蓋と前記バルブとを繋いでいるものであり、
それにより、前記蓋が開けられてから更に外へ前記バネ手段に抗して引っ張られると、前記バルブは前記開閉手段によって引っ張られて開けられることができることを特徴とする補助燃料タンク。
【請求項３】
前記開閉手段は、前記バルブと前記蓋がともに閉じている際の該バルブと該蓋との間の距離より長いのみならず、それ自体が外へ前記バネ手段に対抗して引っ張られなくても前記蓋が開けられる程度の長さを有するチェイン状のものであって、
また、前記入り口の内縁に前記チェイン状の開閉手段を押入して係止することができるスリットが形成されていることを特徴とする請求項２に記載の補助燃料タンク。
【請求項４】
前記胴体外に、燃料油導出ホースを連接するためのスプールが前記出口と連通するように設置されていることを特徴とする請求項１〜３のいずれか一項に記載の補助燃料タンク。
【請求項５】
前記燃料油導出ホースはスプールと同軸に延出するように設置されており、且つその直径がスプールより細く、ただその前記スプールの近端となった一端の外縁にフランジが拡開して設けられてスプールの先端と当接しており、
前記スプールと前記燃料油導出ホースとは、カップリングによって脱着可能に連結されており、該カップリングは、その間に階段部が形成してある大小両端部を有し、且つその大端部の内表面に雌ねじが形成されている上、該大端部でスプールに螺合していて階段部との前記先端とで燃料油導出ホースのフランジを挟持固定していることを特徴とする請求項４に記載の補助燃料タンク。
【請求項６】
前記階段部と前記スプールの先端との間に前記燃料油導出ホースのフランジおよび通孔付き円盤の周縁を挟んでおり、
該円盤のほぼ中央位置に、前記スプールより長い突柱が軸方向に沿って前記燃料油導出ホースの方へ延出するように設置されており、
前記突柱が前記バルブの方へ延出させられるように前記円盤が翻されて設置されると、前記バルブは突っ張られて開けられるようになることを特徴とする請求項５に記載の補助燃料タンク。
【請求項７】
前記スプールは、前記胴体から、前記出口と連通するように斜め下へ延びており、且つその外表面に雄ねじが形成されており、
燃料油導出ホースは前記スプールの内部から該スプールと同軸に延出するように設置されており、且つその前記スプールの内部にある一端の外縁にフランジが拡開して設けられて前記スプールの内面と当接しており、
前記スプールと前記燃料油導出ホースとはカップリングと補助開閉手段とによって連結されており、
該カップリングは、その間に階段部が形成してある大小両端部を有し、且つそれらの内表面に雌ねじが形成されている上、該大端部で前記スプールに螺合しており、
該補助開閉手段は、その一端の外縁にフランジが拡開して設けられて前記燃料油導出ホースのフランジと当接している上、その外表面に雄ねじが形成してあり、該雄ねじによりその内表面が前記燃料油導出ホースを挟持するように前記カップリングの小端部の雌ねじと螺合していることを特徴とする請求項４に記載の補助燃料タンク。
【請求項８】
前記スプール内に、通孔付きの円盤が前記燃料油導出ホースの前記フランジで下から支持されて設置されており、
該円盤のほぼ中央位置に、前記スプールより短いとは言え、前記補助開閉手段が前記カップリングの小端部に対し、前記バルブの方へねじ込まれると、それが前記第１のスプール内から突出して前記バルブを突っ張って開けることができる突柱が軸方向に沿って前記バルブの方へ延出するように設置されていることを特徴とする請求項７に記載の補助燃料タンク。
【請求項９】
前記胴体上面のほぼ中央位置に取っ手が付設されていることを特徴とする請求項１〜８のいずれか一項に記載の補助燃料タンク。
【考案の詳細な説明】
【技術分野】
【０００１】
本考案は、燃料タンクに関し、特に動力機械への給油に使用される携帯可能な補助燃料タンクに関する。
【背景技術】
【０００２】
従来のオイル燃料を使用する動力機械は、必ず燃料タンクが付設されている。このような燃料タンクは、通常、動力機械の本体から取り外され難い固定式である。もちろん、この場合、動力機械自体が交通機関であれば、給油所に行って給油されれば良いが、動力機械はすべて自走式のものではなく、また自走式のものであっても、例えば農耕用／建設用のものであれば、給油所へと道路に登って走ることが妥当でない場合も時々ある。
【０００３】
それがために、図１に示されているような、動力機械への給油に使用される携帯可能な補助燃料タンク１が市販されている。この補助燃料タンク１は、図示するように、その胴体１１の上部のほぼ中央に取っ手１２、また、上部の一隅に蓋１３付き開口１１１が付設されているので、確かに携帯し易いものの、それによって動力機械への給油をすると、必ず蓋１３を取り外してから補助タンク１全体を持ち上げ、そして胴体１１を傾けながら開口１１１を動力機械の燃料タンクの給油口と合わせて胴体１１内の燃料を流さなければならない。その時、燃料を積んでいる補助タンク１がかなり重くて、且つ胴体１１を傾けながら開口１１１を動力機械の燃料タンクの給油口と合わせて胴体１１内の燃料を適当に流すということもそう簡単ではなく、燃料を不意にタンク外に零すことも時々ある。
【考案の開示】
【考案が解決しようとする課題】
【０００４】
したがって、前記実状に鑑みて、本考案は、動力機械への給油時に、操作が簡単である上、補助タンクを持ち上げれば済み、胴体を傾けることが必要でない補助燃料タンクを提供しようとすることを目的とする。
【０００５】
また、本考案は、動力機械への給油時に、その開口を動力機械の燃料タンクの給油口と合わせ易い補助燃料タンクを提供しようとすることをもう一つの目的とする。
【課題を解決するための手段】
【０００６】
前記目的を達成するために、本考案は、まず、その胴体の最高部の近くに蓋付きの入り口、最低部の近くにバルブ付きの出口、また、該入り口と該出口との間に該出口のバルブを該入り口の蓋の所定の操作法による開閉に連動させることができる開閉手段が内設されている補助燃料タンクを提供する。
【０００７】
また、本考案は、更に、前記胴体外に、燃料油導出ホースを連接するためのスプール手段が前記出口と連通するように設置されている補助燃料タンクを提供する。
【考案の効果】
【０００８】
このような補助燃料タンクは、上にある入り口と下にある出口との間に出口のバルブを入り口の蓋の所定の操作法による開閉に連動させることができる開閉手段が内設されているため、前記蓋が該所定の操作法で開けられると、前記開閉手段を介して前記バルブが同時に開けられることができるので、動力機械への給油時に、補助タンクを持ち上げれば済み、胴体を傾けることが必要でなく、操作が非常に簡単である。
【０００９】
また、このような補助燃料タンクは、更に、前記胴体外に、燃料油導出ホースを連接するためのスプール手段が前記出口と連通するように設置されているので、動力機械への給油時に、その開口を動力機械の燃料タンクの給油口と合わせ易い。
【考案を実施するための最良の形態】
【００１０】
以下、添付の図面を参照して本考案の実施形態について詳細に説明する。
まず、第１の実施形態を説明する。
図２は、本考案の実施形態の補助燃料タンクの斜視図である。図３は、前記実施形態の拡大縦断面図である。図４は前記実施形態における出口あたりの拡大縦断面図である。図５は前記実施形態における入り口の外から軸方向に内側に向かって見た側面図である。図２〜４に示されているように、この実施形態の補助燃料タンク２の胴体２１の上面２１２のほぼ中央部に取っ手２３、上面２１２の一隅の斜めになったところ（以下、上斜面と称す）２１５に蓋２７１付きの入り口２７、下面２１１の一隅の斜めになったところ（以下、下斜面と称す）２１４にバルブ５４１付きの出口５４、また、入り口２７と出口５４との間に出口５４のバルブ５４１を入り口２７の蓋２７１の開閉に連動させることができる開閉手段６が内設されている。
【００１１】
図示するように、出口５４のバルブ５４１は、常時、バネ手段５４２によって出口５４をタンクの内側から弾性的に押圧して封止するように設置されている。また、前記開閉手段６は、蓋２７１とバルブ５４１とを繋いでいるものである。
もっと、詳しく説明すると、開閉手段６は、バルブ５４１と蓋２７１とも閉じている際のバルブ５４１と蓋２７１との間の距離より長いのみならず、それ自体が外へバネ手段５４２に対抗して引っ張られなくても蓋２７１が開けられる程度の長さを有するチェイン状のものである。それがために、蓋２７１が開けられてから更に外へバネ手段５４２に抗して引っ張られると、バルブ５４１は開閉手段６によって引っ張られて開けられることができる。
【００１２】
また、図５から分かるように、入り口２７は上斜面２１５を貫通したスプールからなっており、その内端の内縁にフランジ２７２が拡開して設けられており、フランジ２７２の側縁にチェイン状の開閉手段６を押入されて係止することができるスリット２７３が形成されている。それにより、蓋２７１を開けてから、該蓋２７１を掴んでチェイン状の開閉手段６を介し、バネ手段５４２に対抗してバルブ５４１を引っ張って開けた後、チェイン状の開閉手段６をスリット２７３に押入して係止し、バルブ５４１を開き状態に保持することができる。もちろん、該係止が解除されると、バルブ５４１は直ちにバネ手段５４２の回復力により引っ張られて閉じることができる。
【００１３】
また、図４に示されているように、胴体２１外に、燃料油導出ホース４２を連接するためのスプール４１が前記出口５４と連通するように設置されている。該スプール４１は、胴体２１の下斜面２１４から、出口５４と連通するように斜め下へ延びており、且つその外表面に雄ねじが形成されている。燃料油導出ホース４２はスプール４１と同軸に延出するように設置されており、且つその直径がスプール４１より細く、ただそのスプール４１の近端となった一端の外縁にフランジ４２１が拡開して設けられ、スプール４１の先端と当接している。
【００１４】
スプール４１と燃料油導出ホース４２とはカップリング４３によって脱着可能に連結されている。カップリング４３は、その間に階段部４３４が形成してある大小両端部４３１，４３２を有し、且つその大端部４３１の内表面に雌ねじが形成されている上、該大端部４３１でスプール４１に螺合していて階段部４３４とスプール４１の前記先端とで燃料油導出ホース４２のフランジ４２１を挟持固定している。
【００１５】
次に、図３、図６及び図７を参照するように、この実施形態の補助燃料タンクの使用法を説明する。
この補助燃料タンク２に燃料油を入れる際、図３のように、蓋２７１を開けてからチェイン状の開閉手段６をスリット２７３に押入して係止し、蓋２７１を入り口２７の傍に吊り下がるように置く。この時、開けた蓋２７１を掴んで外へ力を入れて引っ張ることをしないので、バルブ５４１はチェイン状の開閉手段６を介して開けられない。その後、蓋２７１を開けられた入り口２７を経由して燃料油を入れることができる。燃料油を入れられた後、蓋２７１を締めてから補助燃料タンク２が携帯しやすいようになる。
【００１６】
そして、この補助燃料タンク２で動力機械へ注油しようとする場合、まず、図３のように、蓋２７１を開けて入り口２７の傍に吊り下がるように置いてから、燃料油導出ホース４２の自由端を動力機械の燃料タンクの入り口に挿入し、それに続いて図６及び図７のように、すでに開けた蓋２７１を掴んで外へ力を入れて引っ張って出口５４のバルブ５４１を開けてからチェイン状の開閉手段６をスリット２７３に押入して係止した後、補助燃料タンク２を傾けなくてただ持ち上げたままで良い。その時、出口５４のバルブ５４１が開き状態に保持されているので、給油が順調に行われることができる。
【００１７】
次に、第２の実施形態を説明する。
第２の実施形態における構造は第１の実施形態とほぼ同じであり、ただ出口５４のあたりの構造が第１の実施形態と少々異なるので、図８及び図９でその出口あたりの拡大縦断面構造を示す。図示するように、前記階段部４３４と前記スプール４１の先端との間に燃料油導出ホース４２のフランジ４２１および通孔付き円盤６１の周縁を挟んでいる。該円盤６１のほぼ中央位置に、前記スプール４１より長い突柱６１１が軸方向に沿って延出している。突柱６１１が、通常、図８のように、燃料油導出ホース４２の方へ延出するように設置されているが、チェイン状の開閉手段６が断裂したり外れたりするなどの異常時に、突柱６１１がバルブ５４１の方へ延出するように円盤６１を翻して設置すると、突柱６１１によってバルブ５４１を突っ張って開けることもできる。
【００１８】
次に、第３の実施形態を説明する。
第３の実施形態における構造も第１の実施形態とほぼ同じであり、ただ出口５４のあたりの構造が第１の実施形態と少々異なるので、図１０及び図１１でその出口あたりの拡大縦断面構造を示す。
【００１９】
燃料油導出ホース４２はスプール４１内から同軸に延出するように設置されており、且つその直径がスプール４１より細く、ただそのスプール４１内の一端の外縁にフランジ４２１が拡開して設けられてスプール４１の内面と当接している。
【００２０】
スプール４１と燃料油導出ホース４２とはカップリング４３と補助開閉手段５６とによって脱着可能に連結されている。カップリング４３は、その間に階段部４３４が形成してある大小両端部４３１、４３２を有し、且つそれらの内表面にいずれも雌ねじが形成されている上、該大端部４３１でスプール４１に螺合していて階段部４３４とスプール４１の前記先端とが互いに当接している。補助開閉手段５６は、その一端の外縁にフランジ５６１が拡開して設けられて前記燃料油導出ホース４２のフランジ４２１と当接している上、その外表面に雄ねじが形成してあり、該雄ねじによりその内表面が前記燃料油導出ホース４２を挟持するように前記カップリングの小端部４３２の雌ねじと螺合している。そして、スプール４１内に、通孔付きの円盤６２が燃料油導出ホース４２のフランジ４２１で下から支持されて設置されている。円盤６２のほぼ中央位置に、スプール４１より短いとは言え、補助開閉手段５６が前記カップリング４３の小端部４３２に対し、前記バルブ５４１の方へねじ込まれると、それがスプール４１内から突出して前記バルブ５４１を突っ張って開けることができる突柱６２１が軸方向に沿ってバルブ５４１の方へ延出するように設置されている。
【００２１】
突柱６２１が、通常、図１０のように、スプール４１内から突出していないが、チェイン状の開閉手段６が断裂したり外れたりするなどの異常時に、補助開閉手段５６が前記カップリング４３の小端部４３２に対し、前記バルブ５４１の方へねじ込まれると、それがスプール４１内から突出してバルブ５４１を突っ張って開けることができる。
【産業上の利用可能性】
【００２２】
本考案の補助燃料タンクは、動力機械への給油時に、補助タンクを持ち上げれば済み、胴体を傾けることが必要でないので、操作が簡単である。
【００２３】
また、前記胴体外に、燃料油導出ホースを連接するためのスプールが前記出口と連通するように設置されているので、動力機械への給油時に、その開口を動力機械の燃料タンクの給油口と合わせ易い。
【００２４】
それがために、動力機械への給油の補助タンクとして非常に妥当である。
【図面の簡単な説明】
【００２５】
【図１】従来の補助燃料タンクの縦断面図。
【図２】本考案の第１の実施形態の補助燃料タンクの斜視図。
【図３】前記実施形態の拡大縦断面図。
【図４】前記実施形態における出口あたりの拡大縦断面図。
【図５】前記実施形態における入り口の外から軸方向に内側に向かって見た拡大側面図。
【図６】前記実施形態の拡大縦断面図において、蓋が開けられた場合。
【図７】前記実施形態における出口あたりの拡大縦断面図において、蓋が開けられた場合。
【図８】本考案の第２の実施形態の補助燃料タンクにおける出口あたりの拡大縦断面図。
【図９】本考案の第２の実施形態の補助燃料タンクにおける出口あたりの拡大縦断面図において、円盤６１が翻されて設置され、突柱によってバルブを突っ張って開けた場合。
【図１０】本考案の第３の実施形態の補助燃料タンクにおける出口あたりの拡大縦断面図。
【図１１】本考案の第３の実施形態の補助燃料タンクにおける出口あたりの拡大縦断面図において、補助開閉手段がカップリングの小端部に対し、バルブの方へねじ込まれて突柱がスプール内から突出してバルブを突っ張って開けた場合。
【符号の説明】
【００２６】
２                 補助タンク
２１               胴体
２１１             下面
２１２             上面
２１４             下斜面
２１５             上斜面
２３               取っ手
２７               入り口
２７１             蓋
２７２             フランジ
２７３             スリット
４１               スプール
４２               燃料油導出ホース
４２１             フランジ
４３               カップリング
４３１，４３２     大小両端部
４３４             階段部
５４               出口
５４１             バルブ
５４２             ばね手段
５６               補助開閉手段
５６１             フランジ
６                 開閉手段
６１               通孔付き円盤
６２               通孔付き円盤
６１１             突柱
６２１             突柱
【図１】
0003110147.tif 000003
【図２】
0003110147.tif 000004
【図３】
0003110147.tif 000005
【図４】
0003110147.tif 000006
【図５】
0003110147.tif 000007
【図６】
0003110147.tif 000008
【図７】
0003110147.tif 000009
【図８】
0003110147.tif 000010
【図９】
0003110147.tif 000011
【図１０】
0003110147.tif 000012
【図１１】
0003110147.tif 000013